(57)【要約】【課題】電子機器の電源を投入することなく、電子機器の設定を変更可能とすること。【解決手段】ＡＶレシーバー１は、ヘッドホン端子１４のＬチャンネル側に接続されたダイオードＤ１と、一端が、ダイオードＤ１に接続され、他端が、接地電位に接続された、コンデンサＣ１と、電源ラインＶＣＣが、コンデンサＣ１の一端に接続され、シリアルクロックラインＳＣＬが、ヘッドホン端子１４のＬチャンネル側に接続され、シリアルデータラインＳＤＡが、ヘッドホン端子１４のＲチャンネル側に接続された、ＥＥＰＲＯＭ３と、を備える。【選択図】図２
2017204686.tif 000002
【特許請求の範囲】
【請求項１】
端子のいずれか一方のチャンネル側に接続された整流素子と、
一端が、前記整流素子に接続され、他端が、接地電位に接続された、充電素子と、
電源ラインが、前記充電素子の一端に接続され、
シリアルクロックラインが、前記端子の一方のチャンネル側に接続され、
シリアルデータラインが、前記端子の他方のチャンネル側に接続された、記憶装置と、を備えることを特徴とする電子機器。
【請求項２】
音声信号を増幅する増幅器と、
前記増幅器、又は、前記記憶装置と、前記端子と、を接続するスイッチと、をさらに備えることを特徴とする請求項１に記載の電子機器。
【請求項３】
ゲートが、前記端子の一方のチャンネル側に接続され、
ドレインが、前記シリアルクロックラインと、第１抵抗を介して、前記充電素子の一端と、に接続され、
ソースが、接地電位に接続された、ｎ型の第１ＭＯＳトランジスタと、
ゲートが、前記端子の他方のチャンネル側に接続され、
ドレインが、前記シリアルデータラインと、第２抵抗を介して、前記充電素子の一端と、に接続され、
ソースが、接地電位に接続された、ｎ型の第２ＭＯＳトランジスタと、
をさらに備えることを特徴とする請求項１又は２に記載の電子機器。
【請求項４】
前記記憶装置は、ＥＥＰＲＯＭであることを特徴とする請求項１〜３のいずれか１項に記載の電子機器。
【請求項５】
前記端子は、ヘッドホン端子であることを特徴とする請求項１〜４のいずれか１項に記載の電子機器。
【請求項６】
請求項１〜５のいずれか１項に記載された電子機器の設定方法であって、
前記端子のいずれか一方のチャンネル側に電源供給用信号を入力し、
前記端子の一方のチャンネル側にシリアルクロック信号を入力し、
前記端子の他方のチャンネル側にシリアルデータ信号を入力することを特徴とする電子機器の設定方法。
【発明の詳細な説明】
【技術分野】
【０００１】
本発明は、自機器の設定を記憶する記憶装置を備える電子機器に関する。
【背景技術】
【０００２】
ＡＶレシーバー等の電子機器は、多数の国で販売される場合、各国で望ましい仕様が異なるため、国に応じて作り分けが行われている。しかし、販売台数は、販売国によって大きく異なり、少量しか望めない国のために、専用のモデルを作ることは、製造及び在庫管理上難しい。
【０００３】
現状、一般的に、仕様を多様化するために、ハードウェアとしては、同じものを作り、内部のソフトウェアの設定を販売国によって変更している。これにより、管理費を抑えながら、品種を増やすことが可能となる。ソフトウェア（電子機器）の設定を記憶する記憶装置として、例えば、不揮発性メモリであるＥＥＰＲＯＭ（Electrically Erasable Programmable Read-Only Memory）が用いられている（例えば、特許文献１参照。）。
【先行技術文献】
【特許文献】
【０００４】
【特許文献１】特開２０１５−１２１８３９号公報
【発明の概要】
【発明が解決しようとする課題】
【０００５】
しかしながら、電子機器の設定を変更する場合、電子機器の電源を投入した後、特殊な操作をする必要があるという問題がある。
【０００６】
本発明の目的は、電子機器の電源を投入することなく、電子機器の設定を変更可能とすることである。
【課題を解決するための手段】
【０００７】
第１の発明の電子機器は、端子のいずれか一方のチャンネル側に接続された整流素子と、一端が、前記整流素子に接続され、他端が、接地電位に接続された、充電素子と、電源ラインが、前記充電素子の一端に接続され、シリアルクロックラインが、前記端子の一方のチャンネル側に接続され、シリアルデータラインが、前記端子の他方のチャンネル側に接続された、記憶装置と、を備えることを特徴とする。
【０００８】
本発明では、記憶装置の電源ラインは、充電素子の一端に接続されている。充電素子の一端は、端子のいずれか一方のチャンネル側に接続された整流素子に接続されている。このため、端子のいずれか一方のチャンネル側に、電源供給用信号を入力すれば、充電素子が充電され、記憶装置の電源ラインに、電源電圧を供給することができる。
【０００９】
また、記憶装置のシリアルクロックラインは、端子の一方のチャンネル側に接続されている。また、記憶装置のシリアルデータラインは、端子の他方のチャンネル側に接続されている。このため、端子の一方のチャンネル側に、シリアルクロック信号を、端子の他方のチャンネル側に、シリアルデータ信号を入力すれば、記憶装置に電子機器の設定を書き込むことができる。
【００１０】
このように、本発明によれば、電子機器の電源を投入することなく、電子機器の設定を変更することができる。
【００１１】
第２の発明の電子機器は、第１の発明の電子機器において、音声信号を増幅する増幅器と、前記増幅器、又は、前記記憶装置と、前記端子と、を接続するスイッチと、をさらに備えることを特徴とする。
【００１２】
本発明では、スイッチは、増幅器、又は、記憶装置と、端子と、を接続する。このため、通常の音楽再生時、すなわち、電子機器の電源がオンの場合、増幅器と端子とを接続することにより、通常の音楽再生を行うことができる。また、電子機器の設定を変更する場合、すなわち、電子機器の電源がオフの場合、記憶装置と端子とを接続することにより、電子機器の設定を変更することができる。
【００１３】
第３の発明の電子機器は、第１又は第２の発明の電子機器において、ゲートが、前記端子の一方のチャンネル側に接続され、ドレインが、前記シリアルクロックラインと、第１抵抗を介して、前記充電素子の一端と、に接続され、ソースが、接地電位に接続された、ｎ型の第１ＭＯＳトランジスタと、ゲートが、前記端子の他方のチャンネル側に接続され、ドレインが、前記シリアルデータラインと、第２抵抗を介して、前記充電素子の一端と、に接続され、ソースが、接地電位に接続された、ｎ型の第２ＭＯＳトランジスタと、をさらに備えることを特徴とする。
【００１４】
第４の発明の電子機器は、第１〜第３のいずれかの発明の電子機器において、前記記憶装置は、ＥＥＰＲＯＭであることを特徴とする。
【００１５】
本発明では、記憶装置は、ＥＥＰＲＯＭである。ＥＥＰＲＯＭは、低電圧・低消費電力で動作可能であるため、電源供給用信号による充電素子の充電電圧が低くても、ＥＥＰＲＯＭを動作させ、電子機器の設定を変更することができる。
【００１６】
第５の発明の電子機器は、第１〜第４のいずれかの発明の電子機器において、前記端子は、ヘッドホン端子であることを特徴とする。
【００１７】
第６の発明の電子機器の設定方法は、第１〜第５のいずれかの発明の電子機器の設定方法であって、前記端子のいずれか一方のチャンネル側に電源供給用信号を入力し、前記端子の一方のチャンネル側にシリアルクロック信号を入力し、前記端子の他方のチャンネル側にシリアルデータ信号を入力することを特徴とする。
【００１８】
本発明では、端子のいずれか一方のチャンネル側に電源供給用信号を入力する。これにより、充電素子が充電され、記憶装置の電源ラインに、電源電圧を供給することができる。
【００１９】
また、端子の一方のチャンネル側にシリアルクロック信号を入力する。端子の他方のチャンネル側にシリアルデータ信号を入力する。これにより、記憶装置に電子機器の設定を書き込むことができる。
【００２０】
このように、本発明によれば、電子機器の電源を投入することなく、電子機器の設定を変更することができる。
【発明の効果】
【００２１】
本発明によれば、電子機器の電源を投入することなく、電子機器の設定を変更することができる。
【図面の簡単な説明】
【００２２】
【図１】本発明の実施形態に係るＡＶレシーバーの構成を示すブロック図である。
【図２】ＥＥＰＲＯＭ、及び、その周辺回路を示す図である。
【図３】マイクロコンピューター、及び、その周辺回路を示す図である。
【図４】（ａ）は、ヘッドホン端子のＬチャンネル側に入力される信号を示す図である。（ｂ）は、ヘッドホン端子のＲチャンネル側に入力される信号を示す図である。（ｃ）は、図２における「Ａ」の電圧を示す図である。
【図５】ＥＥＰＲＯＭ、及び、その周辺回路を示す図である。
【発明を実施するための形態】
【００２３】
以下、本発明の実施形態について説明する。図１は、本実施形態に係るＡＶレシーバーの構成を示すブロック図である。ＡＶレシーバー１（電子機器）は、例えば、ＣＤプレーヤー１００から出力された音声信号に、増幅等の音声処理を行って、スピーカー２００等に出力する。
【００２４】
図１に示すように、ＡＶレシーバー１は、マイクロコンピューター２、ＥＥＰＲＯＭ３、表示部４、操作部５、デジタル信号入力端子６、ＤＩＲ（Digital Interface Receiver）７、ＤＳＰ（Digital Signal Processor）８、Ｄ／Ａコンバーター（以下、「ＤＡＣ」という。）９、ボリューム調整部１０、メインアンプ１１、スピーカー端子１２、ヘッドホンアンプ１３、ヘッドホン端子１４、無線モジュール１５を備える。
【００２５】
マイクロコンピューター２は、ＣＰＵ（Central Processing Unit）、ＲＯＭ（Read Only Memory）、ＲＡＭ（Random Access Memory）等のハードウェアから構成されている。ＣＰＵは、ＲＯＭに記憶されたプログラムに従って、ＡＶレシーバー１を構成する各部を制御する。ＲＡＭは、ＣＰＵの主メモリとして機能する。ＲＯＭは、プログラムを記憶する。ＥＥＰＲＯＭ３（記憶装置）は、ＡＶレシーバー１の設定（例えば、後述する無線モジュール１５のＷｉ−Ｆｉ設定等）を記憶している。
【００２６】
表示部４は、設定画面等を表示するものであり、ＬＣＤ（液晶ディスプレイ）や蛍光表示管等である。操作部５は、ユーザー操作を受け付けるためのものであり、ＡＶレシーバー１の筐体に設けられた操作ボタンやリモートコントローラーである。ユーザーは、操作部５を操作することにより、例えば、音声信号のボリューム値を指示することができる。
【００２７】
デジタル信号入力端子６には、ＣＤプレーヤー１００が接続されている。デジタル信号入力端子６には、ＣＤプレーヤー１００からＳＰＤＩＦ信号が入力される。ＤＩＲ７は、ＣＤプレーヤー１００から入力されるＳＰＤＩＦ信号を、Ｉ２Ｓ信号に変換する。変換されたＩ２Ｓ信号は、ＤＳＰ８に出力される。ＤＳＰ８は、Ｉ２Ｓ信号に、イコライザー処理等のデジタル信号処理を行う。デジタル信号処理が行われたＩ２Ｓ信号は、ＤＡＣ９に出力される。ＤＡＣ９は、Ｉ２Ｓ信号をアナログ音声信号にＤ／Ａ変換する。Ｄ／Ａ変換されたアナログ音声信号は、ボリューム調整部１０に出力される。
【００２８】
ボリューム調整部１０は、アナログ音声信号のボリューム値を調整する。ボリューム値が調整されたアナログ音声信号は、メインアンプ１１、又は、ヘッドホンアンプ１３に出力される。メインアンプ１１は、ボリューム値が調整されたアナログ音声信号を増幅する。増幅されたアナログ音声信号は、スピーカー端子１２に出力される。スピーカー端子１２には、スピーカー２００が接続されている。スピーカー２００は、アナログ音声信号に基づいて、音声を出力する。
【００２９】
ヘッドホンアンプ１３（増幅器）は、ボリューム値が調整されたアナログ音声信号を増幅する。増幅されたアナログ音声信号は、ヘッドホン端子１４に出力される。ヘッドホン端子１４（端子）には、ヘッドホン３００が接続されている。ヘッドホン３００は、アナログ音声信号に基づいて、音声を出力する。無線モジュール１５は、Ｗｉ−Ｆｉ規格に従った無線通信を行うためのものである。
【００３０】
図２は、ＥＥＰＲＯＭ３、及び、その周辺回路を示す図である。図３は、マイクロコンピューター２、及び、その周辺回路を示す図である。ＡＶレシーバー１は、さらに、ダイオードＤ１、Ｄ２、コンデンサＣ１、リレーＲＬ１、ＭＯＳトランジスタＭ１、Ｍ２、抵抗Ｒ１〜Ｒ７、スイッチＳＷ１を備える。
【００３１】
ダイオードＤ１（整流素子）は、ヘッドホン端子１４のＬチャンネル側（Ｌｃｈ）に接続されている。コンデンサＣ１（充電素子）の一端は、ダイオードＤ１に接続されている。コンデンサＣ１の他端は、接地電位に接続されている。リレーＲＬ（スイッチ）は、ヘッドホンアンプ１３、又は、ＥＥＰＲＯＭ３と、ヘッドホン端子１４と、を接続する。ＥＥＰＲＯＭ３の電源ラインＶＣＣは、コンデンサＣ１の一端に接続されている。従って、ＥＥＰＲＯＭ３の電源ラインＶＣＣは、ダイオードＤ１等を介して、ヘッドホン端子１４のＬチャンネル側（Ｌｃｈ）に接続されている。また、ＥＥＰＲＯＭ３の電源ラインＶＣＣは、電源ＶＣＣにも接続されている。ダイオードＤ２は、ＥＥＰＲＯＭ３の電源ラインＶＣＣと電源ＶＣＣとの間に接続されている。
【００３２】
ＭＯＳトランジスタＭ１（第１ＭＯＳトランジスタ）は、ｎ型のＭＯＳトランジスタである。ＭＯＳトランジスタＭ１のゲートは、抵抗Ｒ３を介して、ヘッドホン端子１４のＬチャンネル側（Ｌｃｈ）に接続されている。ＭＯＳトランジスタＭ１のドレインは、ＥＥＰＲＯＭ３のシリアルクロックラインＳＣＬに接続されている。従って、ＥＥＰＲＯＭ３のシリアルクロックラインＳＣＬは、ＭＯＳトランジスタＭ１を介して、ヘッドホン端子１４のＬチャンネル側（Ｌｃｈ）に接続されている。また、ＭＯＳトランジスタＭ１のドレインは、抵抗Ｒ１（第１抵抗）を介して、コンデンサＣ１の一端に接続されている。ＭＯＳトランジスタＭ１のソースは、接地電位に接続されている。また、ＭＯＳトランジスタＭ１のゲートとソースとの間には、抵抗Ｒ５が接続されている。
【００３３】
ＭＯＳトランジスタＭ２（第２ＭＯＳトランジスタ）は、ｎ型のＭＯＳトランジスタである。ＭＯＳトランジスタＭ２のゲートは、抵抗Ｒ４を介して、ヘッドホン端子１４のＲチャンネル側（Ｒｃｈ）に接続されている。ＭＯＳトランジスタＭ２のドレインは、ＥＥＰＲＯＭ３のシリアルデータラインＳＤＡに接続されている。従って、ＥＥＰＲＯＭ３のシリアルデータラインＳＤＡは、ＭＯＳトランジスタＭ２を介して、ヘッドホン端子１４のＲチャンネル側（Ｒｃｈ）に接続されている。また、ＭＯＳトランジスタＭ２のドレインは、抵抗Ｒ２（第２抵抗）を介して、コンデンサＣ２の一端に接続されている。ＭＯＳトランジスタＭ２のソースは、接地電位に接続されている。また、ＭＯＳトランジスタＭ２のゲートとソースとの間には、抵抗Ｒ６が接続されている。
【００３４】
スイッチＳＷ１は、マイクロコンピューター２とＥＥＰＲＯＭ３との間に配置されている。スイッチＳＷ１として、例えば、ＣＭＯＳ４ビットバススイッチを用いることができる。通常の音楽再生時、すなわち、ＡＶレシーバー１の電源がオンの場合、スイッチＳＷ１は、オンの状態となり、マイクロコンピューター２とＥＥＰＲＯＭ３とを接続する。ＡＶレシーバー１の設定を変更する場合、すなわち、ＡＶレシーバー１の電源がオフの場合、スイッチＳＷ１は、オフの状態となり、マイクロコンピューター２とＥＥＰＲＯＭ３とを接続しない。
【００３５】
以下、ＡＶレシーバー１の設定を変更する場合について説明する。図４（ａ）は、ヘッドホン端子１４のＬチャンネル側（Ｌｃｈ）に入力される信号を示す図である。図４（ａ）に示すように、まず、電源供給用信号が、ヘッドホン端子１４のＬチャンネル側（Ｌｃｈ）に入力される。次に、Ｉ２ｃ形式のシリアルクロック信号（Ｉ２ｃ  ＳＣＬ）が、ヘッドホン端子１４のＬチャンネル側（Ｌｃｈ）に入力される。図４（ｂ）は、ヘッドホン端子１４のＲチャンネル側（Ｒｃｈ）に入力される信号を示す図である。図４（ａ）、及び、（ｂ）に示すように、Ｉ２ｃ形式のシリアルクロック信号（Ｉ２ｃ  ＳＣＬ）が、ヘッドホン端子１４のＬチャンネル側（Ｌｃｈ）に入力されるのと同じタイミングで、Ｉ２ｃ形式のシリアルデータ信号（Ｉ２ｃ  ＳＤＡ）が、ヘッドホン端子１４のＲチャンネル側（Ｒｃｈ）に入力される。
【００３６】
ここで、近年、スマートフォン等のポータブル機器は、高解像度（ハイレゾ）の音声を出力可能である。このため、ＡＶレシーバー１のヘッドホン端子１４に図４（ａ）、及び、（ｂ）に示す信号を入力する機器として、ポータブル機器を使用する。
【００３７】
ＡＶレシーバー１において、通常の音楽再生時、すなわち、ＡＶレシーバー１の電源がオンの場合、リレーＲＬ１は、図５に示すように、ヘッドホン端子１４とヘッドホンアンプ１３とを接続している。ＡＶレシーバー１の設定を変更する場合、すなわち、ＡＶレシーバー１の電源がオフの場合、リレーＲＬ１は、図２に示すように、ヘッドホン端子１４とＥＥＰＲＯＭ３とを接続する。ＡＶレシーバー１において、ヘッドホン端子１４のＬチャンネル側（Ｌｃｈ）に、電源供給用信号が入力されると、ダイオードＤ１は、電源供給用信号を整流し、コンデンサＣ１は、充電される。図４（ｃ）は、図２における「Ａ」の電圧を示す図である。図４（ｃ）に示すように、ヘッドホン端子１４のＬチャンネル側（Ｌｃｈ）に、電源供給用信号が入力されると、図２における「Ａ」の電圧が高くなっている。
【００３８】
また、コンデンサＣ１の充電電圧は、ＥＥＰＲＯＭ３の電源ラインＶＣＣに供給される。ここで、ＥＥＰＲＯＭ３は、低電圧・低消費電力動作可能である。このため、コンデンサＣ１の充電電圧が低くとも、ＥＥＰＲＯＭ３は、動作可能である。次に、Ｉ２ｃ形式のシリアルクロック信号（Ｉ２ｃ  ＳＣＬ）が、ヘッドホン端子１４のＬチャンネル側（Ｌｃｈ）に、Ｉ２ｃ形式のシリアルデータ信号（Ｉ２ｃ  ＳＤＡ）が、ヘッドホン端子１４のＲチャンネル側（Ｒｃｈ）に、入力される。ＥＥＰＲＯＭ３のシリアルクロックラインＳＣＬには、Ｉ２ｃ形式のシリアルクロック信号（Ｉ２ｃ  ＳＣＬ）が入力される。また、ＥＥＰＲＯＭ３のシリアルデータラインＳＤＡには、Ｉ２ｃ形式のシリアルデータ信号（Ｉ２ｃ  ＳＤＡ）が入力される。これにより、ＥＥＰＲＯＭ３の所定のアドレスに設定値が書き込まれる。通常動作の場合、マイクロコンピューター２は、ＥＥＰＲＯＭ３に書き込まれた設定値を読み出して、それに応じた動作を行う。
【００３９】
以上説明したように、ＥＥＰＲＯＭ３の電源ラインＶＣＣは、コンデンサＣ１の一端に接続されている。コンデンサＣ１の一端は、ヘッドホン端子１４のＬチャンネル側（Ｌｃｈ）に接続されたダイオードＤ１に接続されている。これにより、ヘッドホン端子１４のＬチャンネル側（Ｌｃｈ）に、電源供給用信号を入力することにより、コンデンサＣ１を充電し、ＥＥＰＲＯＭ３の電源ラインＶＣＣに、電源電圧を供給することができる。
【００４０】
また、ＥＥＰＲＯＭ３のシリアルクロックラインＳＣＬは、ヘッドホン端子１４のＬチャンネル側（Ｌｃｈ）に接続されている。また、ＥＥＰＲＯＭ３のシリアルデータラインＳＤＡは、ヘッドホン端子１４のＲチャンネル側（Ｒｃｈ）に接続されている。これにより、ヘッドホン端子１４のＬチャンネル側（Ｌｃｈ）にＩ２ｃ形式のシリアルクロック信号（Ｉ２ｃ  ＳＣＬ）を、ヘッドホン端子１４のＲチャンネル側（Ｒｃｈ）にＩ２ｃ形式のシリアルデータ信号（Ｉ２ｃ  ＳＤＡ）を入力することにより、ＥＥＰＲＯＭ３にＡＶレシーバー１の設定を書き込むことができる。
【００４１】
このように、本実施形態によれば、ＡＶレシーバー１の電源を投入することなく、ＡＶレシーバー１の設定を変更することができる。
【００４２】
また、本実施形態では、リレーＲＬ１は、ヘッドホンアンプ１３、又は、ＥＥＰＲＯＭ３と、ヘッドホン端子１４と、を接続する。このため、通常の音楽再生時、すなわち、ＡＶレシーバー１の電源がオンの場合、ヘッドホンアンプ１３とヘッドホン端子１４とを接続することにより、通常の音楽再生を行うことができる。また、ＡＶレシーバー１の設定を変更する場合、すなわち、ＡＶレシーバー１の電源がオフの場合、ＥＥＰＲＯＭ３とヘッドホン端子１４とを接続することにより、ＡＶレシーバー１の設定を変更することができる。
【００４３】
また、ＥＥＰＲＯＭ３は、低電圧・低消費電力で動作可能であるため、電源供給用信号によるコンデンサＣ１の充電電圧が低くても、ＥＥＰＲＯＭ３を動作させ、ＡＶレシーバー１の設定を変更することができる。
【００４４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４５】
上述の実施形態においては、ＥＥＰＲＯＭ３の電源ラインＶＣＣは、ヘッドホン端子１４のＬチャンネル側（Ｌｃｈ）に接続されている。これに限らず、ＥＥＰＲＯＭ３の電源ラインＶＣＣは、ヘッドホン端子１４のＲチャンネル側（Ｒｃｈ）に接続されていてもよい。この場合、ダイオードＤ１、抵抗Ｒ７、コンデンサＣ１は、ヘッドホン端子１４のＲチャンネル側（Ｒｃｈ）に設けられる。また、電源供給用信号は、ヘッドホン端子１４のＲチャンネル側（Ｒｃｈ）に入力される。
【００４６】
上述の実施形態においては、ＥＥＰＲＯＭ３のシリアルクロックラインＳＣＬは、ヘッドホン端子１４のＬチャンネル側（Ｌｃｈ）に接続されている。これに限らず、ＥＥＰＲＯＭ３のシリアルクロックラインＳＣＬは、ヘッドホン端子１４のＲチャンネル側（Ｒｃｈ）に接続されていてもよい。この場合、Ｉ２ｃ形式のシリアルクロック信号（Ｉ２ｃ  ＳＣＬ）は、ヘッドホン端子１４のＲチャンネル側（Ｒｃｈ）に入力される。
【００４７】
上述の実施形態においては、ＥＥＰＲＯＭ３のシリアルデータラインＳＤＡは、ヘッドホン端子１４のＲチャンネル側（Ｒｃｈ）に接続されている。これに限らず、ＥＥＰＲＯＭ３のシリアルクロックラインＳＣＬは、ヘッドホン端子１４のＬチャンネル側（Ｌｃｈ）に接続されていてもよい。この場合、Ｉ２ｃ形式のシリアルデータ信号（Ｉ２ｃ  ＳＤＡ）は、ヘッドホン端子１４のＬチャンネル側（Ｌｃｈ）に入力される。
【００４８】
上述の実施形態においては、電源供給用信号等が入力される端子として、ヘッドホン端子１４を例示した。これに限らず、マイク端子、ラインアウト端子、ラインイン端子等であってもよい。
【００４９】
上述の実施形態においては、電子機器として、ＡＶレシーバー１を例示した。これに限らず、自機器の設定を記憶する記憶装置（上述の実施形態では、ＥＥＰＲＯＭ３）を備える電子機器であれば、無線ＬＡＮアクセスポイント、デジタルオーディオプレーヤー、スマートフォン、携帯電話等であってもよい。
【産業上の利用可能性】
【００５０】
本発明は、自機器の設定を記憶する記憶装置を備える電子機器に好適に採用され得る。
【符号の説明】
【００５１】
１  ＡＶレシーバー（電子機器）
２  マイクロコンピューター
３  ＥＥＰＲＯＭ（記憶装置）
１３  ヘッドホンアンプ（増幅器）
１４  ヘッドホン端子（端子）
Ｃ１  コンデンサ（充電素子）
Ｄ１  ダイオード（整流素子）
Ｍ１  ＭＯＳトランジスタ（第１ＭＯＳトランジスタ）
Ｍ２  ＭＯＳトランジスタ（第２ＭＯＳトランジスタ）
Ｒ１  抵抗（第１抵抗）
Ｒ２  抵抗（第２抵抗）
ＲＬ  リレー（スイッチ）
【図１】
2017204686.tif 000003
【図２】
2017204686.tif 000004
【図３】
2017204686.tif 000005
【図４】
2017204686.tif 000006
【図５】
2017204686.tif 000007